(57)【要約】【課題】混合弁の配設数を減らした簡単な構成とすることでコストを低減且つ制御を簡略化しつつ、中温水を積極的に消費させ成績効率（ＣＯＰ）を向上させることのできる貯湯式給湯装置を提供すること。【解決手段】貯湯タンク(4)としての高温タンク(4a)及び低温タンク(4b)の各上端部に、それぞれ高温出湯通路(38)及び低温出湯通路(40)を接続し、当該低温出湯通路の途中にオリフィス(42)を設け、当該高温出湯通路と低温出湯通路とを直接合流させて合流出湯通路(44)を接続する。【選択図】図１
2008309351.tif 000002
【特許請求の範囲】
【請求項１】
ヒートポンプ回路を用いて加熱された湯を貯湯して使用する貯湯式給湯装置であって、
前記ヒートポンプ回路を用いて加熱された高温湯が一端側から流入し、低温水が他端側から流入するものであり、内部の湯水が温度に応じて層状をなして貯留される貯湯タンクと、
該貯湯タンクの前記一端側から貯湯タンク内の湯水を流出させる高温出湯通路と、
該記高温出湯通路よりも流量抵抗が大であり、前記高温出湯通路よりも他端側の規定位置から該貯湯タンク内の湯水を流出させる低温出湯通路と、
前記高温出湯通路及び前記低温出湯通路が直接合流した合流出湯通路と、
を備えることを特徴とする貯湯式給湯装置。
【請求項２】
前記貯湯タンクは、前記高温湯より低温且つ前記低温水より高温な中温水が前記規定位置より他端側の所定位置から流入するものであることを特徴とする請求項１記載の貯湯式給湯装置。
【請求項３】
前記低温出湯通路は、前記高温出湯通路よりも流路面積が小に形成されていることで、該高温出湯通路よりも流量抵抗が大であることを特徴とする請求項１または２記載の貯湯式給湯装置。
【請求項４】
前記低温出湯通路は、前記高温出湯通路よりも通路長さが長く形成されていることで、該高温出湯通路よりも流量抵抗が大であることを特徴とする請求項１または２記載の貯湯式給湯装置。
【請求項５】
前記低温出湯通路に、該低温出湯通路を遮断可能な遮断手段を設けたことを特徴とする請求項１乃至４のいずれか記載の貯湯式給湯装置。
【発明の詳細な説明】
【技術分野】
【０００１】
本発明は、ヒートポンプ回路を用いて加熱された湯を貯湯して使用する貯湯式給湯装置に関する。
【背景技術】
【０００２】
近年、比較的電力量料金の安価な時間帯に、高効率なヒートポンプにより加熱し沸き上げた湯を貯湯タンク内に貯留し、この貯留した湯を使用して給湯や風呂の追い焚き等を行うことで省エネルギー化を実現する貯湯式給湯装置がある。
当該貯湯給湯装置の貯湯タンクは、一般的には、下部から給水され、上部からヒートポンプにより沸き上げられた湯が供給される構成をなしており、内部の湯水は高温側と低温側とが層状に分かれて貯留されている。そして、風呂の追い焚き等では高温側の湯を用いて風呂の湯と熱交換を行い、当該熱交換により温度が低下した所謂中温水は貯留タンクの中部に戻され中温水層を形成する。
【０００３】
しかし、当該中温水は温度が低く再度熱交換等に使用することはできない上、ヒートポンプで沸き上げるにはヒートポンプの性質上低温水を沸き上げるよりも成績効率（ＣＯＰ）が悪いという問題がある。
そこで、第１及び第２の貯湯タンクを備え、追い焚き等の熱交換により生成された中温水を第１貯湯タンクの上部に戻し、給湯時において当該第１貯湯タンクの高温湯あるいは中温水を優先して使用することで中温水を消費させる貯湯式給湯装置がある（特許文献１参照）。
【特許文献１】特開２００４−１０１１３４号公報
【発明の開示】
【発明が解決しようとする課題】
【０００４】
上記特許文献１に開示された技術では、第１及び第２の貯湯タンクに接続されている第１及び第２の出湯管の合流点に出湯比率を調整する混合弁が設けられている上、さらにその下流側に、任意の給湯設定温度に調整するための温調ミキシング弁（混合弁）が設けられている。
しかしながら、このように複数の経路からの入力を調整して出力する機能を有する三方弁等の混合弁を多数設けるとコストが大幅に増加するという問題がある。
【０００５】
また、上記特許文献１では、第１及び第２の出湯管の合流点における混合弁による制御、及びその後の温調ミキシング弁による制御の２箇所で制御を行っているため制御が複雑化するという問題もある。
本発明はこのような問題を解決するためになされたもので、その目的とするところは、混合弁の配設数を減らした簡単な構成とすることでコストを低減且つ制御を簡略化しつつ、中温水を積極的に消費させ成績効率（ＣＯＰ）を向上させることのできる貯湯式給湯装置を提供することにある。
【課題を解決するための手段】
【０００６】
上記した目的を達成するために、請求項１の貯湯式給湯装置では、ヒートポンプ回路を用いて加熱された湯を貯湯して使用する貯湯式給湯装置であって、前記ヒートポンプ回路を用いて加熱された高温湯が一端側から流入し、低温水が他端側から流入し、内部の湯水が温度に応じて層状をなして貯留される貯湯タンクと、該貯湯タンクの前記一端側から貯湯タンク内の湯水を流出させる高温出湯通路と、該記高温出湯通路よりも流量抵抗が大であり、前記高温出湯通路よりも他端側の規定位置から該貯湯タンク内の湯水を流出させる低温出湯通路と、前記高温出湯通路及び前記低温出湯通路が直接合流した合流出湯通路とを備えることを特徴としている。
【０００７】
請求項２の貯湯式給湯装置では、請求項１において、前記貯湯タンクは、前記高温湯より低温且つ前記低温水より高温な中温水が前記規定位置より他端側の所定位置から流入するものであることを特徴としている。
請求項３の貯湯式給湯装置では、請求項１または２において、前記低温出湯通路は、前記高温出湯通路よりも流路面積が小に形成されていることで、該高温出湯通路よりも流量抵抗が大であることを特徴としている。
【０００８】
請求項４の貯湯式給湯装置では、請求項１または２において、前記低温出湯通路は、前記高温出湯通路よりも通路長さが長く形成されていることで、該高温出湯通路よりも流量抵抗が大であることを特徴としている。
請求項５の貯湯式給湯装置では、請求項１乃至４のいずれかにおいて、前記低温出湯通路に、該低温出湯通路を遮断可能な遮断手段を設けたことを特徴としている。
【発明の効果】
【０００９】
上記手段を用いる本発明の請求項１の貯湯式給湯装置によれば、湯水が温度に応じて層状に貯留される貯湯タンクに、高温湯が流入する一端側から湯水を流出させる高温出湯通路と、当該高温出湯通路よりも流量抵抗が大であり当該高温出湯通路よりも低温水が流入する他端側の規定位置から湯水を流出させる低温出湯通路と、当該高温出湯通路と低温出湯通路とが直接合流した合流出湯通路とを備えた構成をなしている。
【００１０】
つまり、タンクに接続されている位置関係から、高温出湯通路からは主に高温湯が流出される。一方、低温出湯通路からは他端側から流入された低温水や、長時間の貯留により高温湯が温度低下し高温湯よりも低温且つ低温水より高温となった中温湯が主に流出される。
これら高温湯と低温水や中温水との合流は、低温出湯通路の流量抵抗が高温出湯通路よりも大であることから、高温出湯通路からの高温湯が多く低温出湯通路からの低温水や中温水が少ない一定の混合比率で混同される。
【００１１】
このように高温湯の割合が多いことで十分高温な出湯を行うことができる一方、出湯時において常に低温水や中温水が消費される。つまり、成績効率（ＣＯＰ）を悪化させる中温水を積極的に消費させることができ、成績効率（ＣＯＰ）の向上を図ることができる。
そして、当該構成は合流部に混合弁等を用いず、流量抵抗が大である低温出湯通路を設け直接高温湯及び中温水を合流させた簡単な構成であることから、コストを低減させることができ且つ制御を簡略化することができる。
【００１２】
これにより、混合弁の配設数を減らした簡単な構成とすることでコストを低減且つ制御を簡略化しつつ、中温水を積極的に消費させ成績効率（ＣＯＰ）を向上させることのできる貯湯式給湯装置を提供することができる。
請求項２の貯湯式給湯装置によれば、貯湯タンクは低温出湯通路の規定位置より他端側から中温水が流入する構成をなしている。
【００１３】
つまり、このように貯湯タンクに中温水が流入される構成で場合でも、当該中温水を低温出湯通路から積極的に流出させることができる。
したがって、このような構成である場合にも、中温水を積極的に消費させ成績効率（ＣＯＰ）を向上させることができる。
請求項３の貯湯式給湯装置によれば、低温出湯通路の流路面積を高温出湯通路の流路面積よりも小に形成するという簡単な構成で当該低温出湯通路の流量抵抗を高温出湯通路よりも大とすることができる。
【００１４】
請求項４の貯湯式給湯装置によれば、低温出湯通路の通路長さを高温出湯通路の通路長さよりも長く形成するという簡単な構成で当該低温出湯通路の流量抵抗を高温出湯通路よりも大とすることができる。
請求項５の貯湯式給湯装置によれば、該低温出湯通路を遮断可能な遮断手段を設けることで、低温出湯通路を通る湯水を遮断し、高温湯のみによる高温出湯を可能とすることができる。
【発明を実施するための最良の形態】
【００１５】
以下、本発明の実施の形態を図面に基づき説明する。
図１を参照すると、本発明に係る貯湯式給湯装置の概略構成図が示されている。
図１に示すように、貯湯式給湯装置１は、湯水を加熱するヒートポンプユニット２（ヒートポンプ回路）と、湯水を貯留する貯湯タンク４を有したタンクユニット６とから構成されており、ヒートポンプ２により加熱し沸き上げた湯を貯湯タンク４に貯留し、この貯留された湯を使用して風呂８の湯はり、風呂、台所、洗面所の水栓やシャワー等の給湯栓１０への給湯、風呂８の追い焚き等を行うものである。
【００１６】
ヒートポンプユニット２は図示しない圧縮機、凝縮器、膨張弁、蒸発器を冷媒が循環し、当該凝縮器との熱交換により貯湯タンク４の湯水を加熱する公知のものであり、詳しい説明は省略する。
タンクユニット６は、貯湯タンク４として高温タンク４ａ及び低温タンク４ｂの２つのタンクを有している。当該高温タンク４ａ及び低温タンク４ｂは、それぞれ同形状をなしており、高温タンク４ａの下端部と低温タンク４ｂの上端部とが連結通路１２により直列に接続されている。つまり、当該貯湯タンク４は高温タンク４ａの上部を一端、低温タンク４ｂ下部を他端とした一体の構成をなしている。
【００１７】
また、当該高温タンク４ａ及び低温タンク４ｂの内部にはそれぞれ、上下方向に所定の間隔を有して位置づけられたサーミスタ群１４ａ、１４ｂが設けられている。当該サーミスタ群１４ａ、１４ｂは各位置における湯水温度を検出するものである。
また、低温タンク４ｂの下端部には、市水等の外部の給水源１６から延びている給水通路１８が接続されている。
【００１８】
さらに、当該低温タンク４ｂの下端及び高温タンク４ａの上端部には、途中にヒートポンプユニット２の介装された沸き上げ循環路２０が接続されている。当該沸き上げ循環路２０には低温タンク４ｂとヒートポンプユニット２との間に沸き上げ循環ポンプ２２が設けられている。当該沸き上げ循環ポンプ２２は、沸き上げ循環路２０を通して、低温タンク４ｂの下端部の湯水を流出させ、ヒートポンプ２を介して高温タンク４ａの上端部へと流入させる機能を有している。
【００１９】
また、高温タンク４ａの上端部及び低温タンク４ｂの側面の上下方向中間部（所定位置）には、途中に追い焚き熱交換器２４の介装された追い焚き循環路２６が接続されている。当該追い焚き循環路２６には追い焚き熱交換器２４と低温タンク４ｂとの間に追い焚き循環ポンプ２８が設けられている。当該追い焚き循環ポンプ２８は、追い焚き循環路２６を通して、高温タンク４ａの上端部の湯水を流出させ、追い焚き熱交換器２４を介して低温タンク４ｂの中部へと流入させる機能を有している。
【００２０】
追い炊き熱交換器２４は、風呂湯循環路３０にも介装されているものであり、当該風呂湯循環路３０を流通する湯水と追い焚き循環路２６を流通する湯水との熱交換を行う機能を有している。
風呂湯循環路３０は風呂８の浴槽と接続されており、当該浴槽内の湯水が循環するよう構成されている。また、当該風呂湯循環路３０には、上記追い焚き熱交換器２４の他に、浴槽内の水位を検出する水位センサ３２、当該風呂湯循環路３０を流通する湯水、即ち浴槽内の湯水の温度を検出するための風呂湯サーミスタ３４、及び風呂湯循環ポンプ３６が設けられている。当該風呂湯循環ポンプ３６は、風呂湯循環路３０を通して、浴槽内の湯水を流出させ、追い焚き熱交換器２４を介して再び浴槽内へと流入させる機能を有している。
【００２１】
また、上記高温タンク４ａの上端部には高温出湯通路３８が接続されており、低温タンク４ｂの上端部（規定位置）には低温出湯通路４０が接続されている。
当該高温出湯通路３８及び低温出湯通路４０はそれぞれ同様の管部材（例えば内径１４〜１５ｍｍ程度）で形成されている。また、低温出湯通路４０には、途中に流路面積を縮小するオリフィス４２（例えば内径５ｍｍ）が設けられている。つまり、当該オリフィス４２により低温出湯通路４０の流量抵抗は高温出湯通路３８の流量抵抗よりも大となるよう形成されている。
【００２２】
そして、当該高温出湯通路３８及び低温出湯通路４０は所定の合流点で直接合流し合流出湯通路４４と接続されている。当該合流出湯通路４４も高温出湯通路３８及び低温出湯通路４０と同様の管部材により形成されており、途中には当該合流出湯通路４４を流通する湯水の温度を検出する合流出湯サーミスタ４６が設けられている。
さらに、当該合流出湯通路４４は、合流出湯サーミスタ４６よりも下流側において二手に分岐しており、一方が風呂側混合弁４８に、他方が給湯側混合弁５０に接続されている。
【００２３】
当該風呂側混合弁４８及び給湯側混合弁５０は、それぞれ上記給水通路１８が接続されているとともに、風呂側混合弁４８には湯はり通路５２が、給湯側混合弁５０には給湯通路５４が接続されている。そして、当該風呂側混合弁４８及び給湯側混合弁５０は、合流出湯通路４４からの湯水と給水通路１８からの水との混合比率を調整し風呂湯はり通路５２及び給湯通路５４へ出湯する機能を有している。なお、上記給水通路１８には、当該給水通路を通る水の温度を検出する給水サーミスタ５６が設けられている。
【００２４】
湯はり通路５２は、上記風呂湯循環路３０と接続されており、途中には、当該湯はり通路５２を流通する湯水の温度を検出する湯はりサーミスタ５８、開閉することで当該湯はり通路５２の連通及び遮断を行う電磁弁６０、及び当該湯はり通路５２から風呂湯循環路３０への湯水の流量を検出する湯はりフローセンサ６２が設けられている。
一方、給湯通路５４は、上記給湯栓１０に接続されており、途中には、当該給湯通路５４を流通する湯水の温度を検出する給湯サーミスタ６４、当該給湯通路５４から給湯栓１０への湯水の流量を検出する給湯フローセンサ６６が設けられている。
【００２５】
また、貯湯式給湯装置１には、図示しない制御ユニットが設けられており、当該制御ユニットは任意の設定に応じて、上記各サーミスタ１４ａ、１４ｂ、３４、４６、５６、５８、６４、水位センサ３２、フローセンサ６２、６６等により検出される情報に基づき、ヒートポンプユニット２、各循環ポンプ２２、２８、３６、各混合弁４８、５０、電磁弁６０等の制御を行う。
【００２６】
以下このように構成された本発明に係る貯湯式給湯装置の作用について説明する。
まず、高温タンク４ａ内及び低温タンク４ｂ内には常に湯水が満たされており、当該湯水は温度に応じて層状をなして貯留されている。
給湯等でタンク内の湯水が出湯されたときは、給水源１６から低温タンク４ｂへと比較的低温な低温水（例えば０〜２０℃）が補充供給され、当該低温タンク４ｂの下部には低温水層が形成される。
【００２７】
そして、貯湯式給湯装置１における沸き上げは、ヒートポンプユニット２及び沸き上げ循環ポンプ２２を作動させることで行われる。
詳しくは、沸き上げ循環ポンプ２２の作動により、沸き上げ循環路２０を通して、低温タンク４ｂの下端部から低温水がヒートポンプユニット２へと送られ、当該ヒートポンプユニット２により加熱され高温に沸き上げられた高温湯（例えば６５〜９０℃程度）が高温タンク４ａの上端に流入される。
【００２８】
このようなヒートポンプユニット２を介した湯水の循環が所定時間行われることで高温タンク４ａ内の上部から下部、さらには連結通路１２を通し低温タンク４ｂ内の上部から下部へと高温湯層が拡がる。なお、当該高温湯の量、即ち残湯量は各タンク４ａ、４ｂ内のサーミスタ群１４ａ、１４ｂにより検出される温度の分布から検出される。また、当該沸き上げは、主として比較的電気代の安価な所定の深夜時間帯に行われる。
【００２９】
また、貯湯式給湯装置１における追い焚きは、水位センサ３２により検出される風呂８の浴槽内の水位が所定水位以上であるときに、追い焚き循環ポンプ２８及び風呂湯循環ポンプ３６を作動させることで行われる。
詳しくは、追い焚き循環ポンプ２８の作動により、追い焚き循環路２６を通して、高温タンク４ａの上端部から高温湯が追い焚き熱交換器２４へと送られ、当該追い焚き熱交換器２４における風呂湯との熱交換により温度の低下した中温水（例えば４０〜６０℃）が低温タンク４ｂの中間部に流入される。
【００３０】
このような追い焚き熱交換器２４を介した湯水の循環が行われることで低温タンク４ｂ内の中部、即ち高温湯層と低温水層との間に位置するように中温水層が形成される。なお、中温水は、例えば高温湯が長時間貯留され温度低下したことによっても生成される場合がある。
一方、風呂湯循環ポンプ３６の作動により、風呂湯循環路３０を通して、風呂８の浴槽内の湯水が追い焚き熱交換器２４に送られ、当該追い焚き熱交換器２４での上記高温湯との熱交換により加熱された湯水が浴槽内に戻されることで追い焚きが行われる。
【００３１】
さらに、当該貯湯式給湯装置１における風呂８の湯はりは電磁弁６０を開弁させることで行われ、給湯は給湯栓１０を開口させることで行われる。
詳しくは、電磁弁６０を開弁させることで、湯はり通路５２から風呂湯循環路３０へと湯水が流出し、当該湯水が当該風呂循環路３０を通して浴槽内へ流出されることで湯はりが行われる。また、給湯栓１０を開口させることで給湯通路５４の湯水が給湯栓１０外へと流出されることで給湯が行われる。
【００３２】
この湯はり及び給湯において流出する湯水、即ち湯はり通路５２及び給湯通路５４を通る湯水は、風呂側混合弁４８及び給湯側混合弁５０により、制御ユニットによる制御により任意の設定温度となるよう合流出湯通路４４からの湯水と給水通路１８からの低温水との混合比率が調整されている。
さらに、この合流出湯通路４４を通る湯水は、高温出湯通路３８を通る湯水と低温出湯通路４０を通る湯水とが混合されたものである。
【００３３】
当該高温出湯通路３８から流出される湯水は、当該高温出湯通路３８が高温湯の流入する高温タンク４ａの上部端に接続されていることから、高温タンク４ａ内の上端部に貯留されている高温湯である。一方、低温出湯通路４０から流出される湯水は低温タンク４ｂ内の上端部に貯留されている湯水であり、これは低温水または高温湯である場合もあるが、低温出湯通路４０の低温タンク４ｂの中間部から中温水が流入することから主に中温水である。
【００３４】
そして、当該高温出湯通路３８と低温出湯通路４０とが直接合流して合流出湯通路４４が接続されていることから、当該合流出湯通路４４には当該高温出湯通路３８と低温出湯通路４０の流量抵抗に応じた一定の混合比率で混合された湯水が流れる。例えば、上記の如く内径１４〜１５ｍｍ程度とした管部材の高温出湯通路３８、低温出湯通路４０及び合流出湯通路４４、内径５ｍｍとしたオリフィス４２とすると、流量抵抗が大となる低温出湯通路４０を通る中温水または低温水はおよそ２０〜３０％の混合比率で合流される。
【００３５】
つまり、流量抵抗が大である低温出湯通路４０を通る中温水の割合は少なく、高温出湯通路３８を通る高温湯の割合が多く混合された湯水が合流出湯通路４４に流れる。
このように高温湯の割合が多いことで当該合流出湯通路４４において十分高温な湯水を出湯させることができ、風呂側混合弁４８及び給湯側混合弁５０において適切な温度に調整させることができる。一方、出湯時において常に中温水が消費されるため、中温水を積極的に消費させることができ、成績効率（ＣＯＰ）を向上させることができる。
【００３６】
そして、当該構成は合流部に混合弁等を用いず、オリフィス４２により流量抵抗を大とした低温出湯通路４０を設け、直接高温湯及び中温水を合流させた簡単な構成であることから、コストを低減させることができ且つ出湯における制御を簡略化することができる。
以上のことから、本発明に係る貯湯式給湯装置によれば、混合弁の配設数を減らした簡単な構成とすることでコストを低減且つ制御を簡略化しつつ、中温水を積極的に消費させ成績効率（ＣＯＰ）を向上させることができる。
【００３７】
以上で本発明に係る貯湯式給湯装置の実施形態についての説明を終えるが、実施形態は上記実施形態に限られるものではない。
例えば、変形例として図３に示すように、低温出湯通路４０’の途中に開閉することで当該通路の連通及び遮断を行うことのできる安価な電磁二方弁７０（遮断手段）を設けることで、低温出湯通路からの湯水、即ち主として中温水または低温水の量を制御可能としても構わない。これにより、合流出湯通路４４’における中温水または低温水の利用を選択することができ、コスト低減を図りつつ、高温湯のみでの高温出湯を実現させることができる。
【００３８】
また、当該実施形態ではオリフィス４２を設けることで低温出湯通路４０の流量抵抗を大きくしているが、変形例として図３に示すように、オリフィスに代えて低温出湯通路４０’’に螺旋状の通路とした螺旋部７２を形成することで当該低温出湯通路４０’’の通路長さを長くすることで流量抵抗を大きくした構成としても構わない。
または、当該低温出湯通路を形成する管部材自体の内径を高温出湯通路よりも小とした構成としても構わない。
【００３９】
また、上記実施形態では、高温出湯通路３８、低温出湯通路４０、合流出湯通路４４を形成する管部材の内径を例えば内径１４〜１５ｍｍ程度としオリフィス４２の内径を例えば５ｍｍとしているが、高温出湯通路３８より低温出湯通路４０の流路面積を縮小させる構成であればよく、これらの内径に限られるものではない。また、これに伴い、上記実施形態では低温出湯通路４０を通る中温水または低温水の混合比率がおよそ２０〜３０％となっているが、混合比率もこれに限られるものではなく、適宜設定可能である。
【００４０】
また、上記実施形態では、追い焚き循環路２６は低温タンク４ｂの中間部に接続されているが、当該接続位置はこれに限られるものではなく、高温タンクの上部（一端）よりも離間した位置であればよい。特に高温湯層と低温水層との間に位置するような部分に接続されることが好ましい。
また、上記実施形態では、低温出湯通路４０は低温タンク４ｂの上端部に接続されているが、当該接続位置はこれに限られるものではなく当該低温出湯通路の接続位置は中温水が流入する追い焚き循環路の接続位置より一端側で且つ一端より当該接続位置寄りであればよい。
【００４１】
また、上記実施形態では、貯湯タンク４として高温タンク４ａと低温タンク４ｂとを備えた構成であるが、このように２つのタンクを備えた構成に限られるものではなく、例えば１つのタンクにより構成しても構わない。なお、貯湯タンクを１つのタンクで構成した場合には、出湯時に低温出湯通路から中温水が流出するように、当該低温出湯通路は、上下方向中部において中温水が流入する追い焚き循環路２６より上側の近傍に位置するよう接続される。
【図面の簡単な説明】
【００４２】
【図１】本発明に係る貯湯式給湯装置の概略構成図である。
【図２】変形例の要部を示す概略構成図である。
【図３】変形例の要部を示す概略構成図である。
【符号の説明】
【００４３】
１  貯湯式給湯装置
２  ヒートポンプユニット
４  貯湯タンク
４ａ  高温タンク
４ｂ  低温タンク
６  タンクユニット
１８  給水通路
２０  沸き上げ循環路
２６  追い焚き循環路
２４  追い焚き熱交換器
３０  風呂湯循環路
３８  高温出湯通路
４０  低温出湯通路
４２  オリフィス
４４  合流出湯通路
４８  風呂側混合弁
５０  給湯側混合弁
【図１】
2008309351.tif 000003
【図２】
2008309351.tif 000004
【図３】
2008309351.tif 000005